(57)【要約】      （修正有）【課題】車両の進行方向に応じて光照射方向をより適切に設定することが可能な車両用前照灯の制御装置を提供する。【解決手段】一対の前照灯１５Ｌ、１５Ｒの各々による光照射方向を可変に設定する車両用前照灯の制御装置であって、車両１００の曲進の際に、一対の前照灯１５Ｌ、１５Ｒのうちの１つである第１前照灯１５Ｒの光照射方向ａ１を曲進の方向ｂに対応した第１方向へ設定するとともに、一対の前照灯１５Ｌ、１５Ｒのうちの他の１つである第２前照灯１５Ｌの光照射方向ａ２を曲進の方向ｂに対応した方向であって第１方向と異なる第２方向へ設定する。【選択図】図３
2020011539.tif 000002
【特許請求の範囲】
【請求項１】
一対の前照灯の各々による光照射方向を可変に設定する車両用前照灯の制御装置であって、
車両の曲進の際に、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、
車両用前照灯の制御装置。
【請求項２】
前記第１前照灯は、前記車両の右側に配置され、前記第２前照灯は、前記車両の左側に配置されており、
前記曲進の方向が左方向の場合には前記第２方向を前記第１方向よりも前記車両の前後方向とのなす角度が小さくなるように設定し、前記曲進の方向が右方向の場合には前記第２方向を前記第１方向よりも前記車両の前後方向とのなす角度が大きくなるように設定する、
請求項１に記載の車両用前照灯の制御装置。
【請求項３】
前記第１前照灯は、前記車両の左側に配置され、前記第２前照灯は、前記車両の右側に配置されており、
前記曲進の方向が右方向の場合には前記第２方向を前記第１方向よりも前記車両の前後方向とのなす角度が小さくなるように設定し、前記曲進の方向が左方向の場合には前記第２方向を前記第１方向よりも前記車両の前後方向とのなす角度が大きくなるように設定する、
請求項１に記載の車両用前照灯の制御装置。
【請求項４】
前記第１方向及び前記第２方向は、それぞれ前記曲進の度合いに応じて可変に設定される、
請求項１〜３の何れか１項に記載の車両用前照灯の制御装置。
【請求項５】
前記第２前照灯の配置されている側の前記車両の側方に特定の対象物が存在する場合において、前記第１方向と前記第２方向を異なる方向に設定する、
請求項１〜４の何れか１項に記載の車両用前照灯の制御装置。
【請求項６】
一対の前照灯の各々による光照射方向を可変に設定する車両用前照灯の制御装置であって、
前記車両の曲進の際に、前記一対の前照灯の各々による光照射方向を当該曲進の方向に対応した方向へ設定する設定部と、
前記設定部により設定される前記光照射方向にて前記一対の前照灯の各々による光照射が行われるようにする制御信号を当該一対の前照灯へ供給する信号供給部と、
を含み、
前記設定部は、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、
車両用前照灯の制御装置。
【請求項７】
一対の前照灯の各々による光照射方向を可変に設定する車両用前照灯の制御方法であって、
車両の曲進の際に、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、
車両用前照灯の制御方法。
【請求項８】
請求項１〜６の何れかの制御装置と、当該制御装置によって制御される一対の前照灯を含む、車両用前照灯システム。
【発明の詳細な説明】
【技術分野】
【０００１】
本発明は、車両用前照灯の制御技術に関し、特に車両の進行方向に応じて光照射方向を可変に設定する制御技術に関する。
【背景技術】
【０００２】
従来から、車両がカーブ路などを曲進中である場合に、その進行方向に対応して前照灯による光照射方向を可変に設定することにより、車両の進行方向の視認性を向上させる技術が知られている。例えば、特許第２６３３１６９号公報（特許文献１）には、曲路走行時の回転角速度と車速を検出し、これらの回転角速度と車速に基づき、灯光手段の照射角度の目標位置を求め、その目標位置に合致するように灯光手段の照射角度の現在位置を制御する車輌用コーナリングランプシステムが記載されている。
【０００３】
ところで、上記のような配光制御を行う際に、例えば自車両の左側にガードレールなどの障害物が存在すると、車両が向かう先である前方のカーブ路に対して効果的に光照射を行えない場合がある。さらに、障害物が高い反射率を有している場合には、その障害物に対して比較的近距離から光照射が行われてしまうことで、車両の運転者等に反射光によるグレアを与えてしまう場合もある。
【先行技術文献】
【特許文献】
【０００４】
【特許文献１】特許第２６３３１６９号公報
【発明の概要】
【発明が解決しようとする課題】
【０００５】
本発明に係る具体的態様は、車両の進行方向に応じて光照射方向をより適切に設定し得る技術を提供することを目的の１つとする。
【課題を解決するための手段】
【０００６】
［１］本発明に係る一態様は、（ａ）一対の前照灯の各々による光照射方向を可変に設定する車両用前照灯の制御装置であって、（ｂ）車両の曲進の際に、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、車両用前照灯の制御装置である。
［２］本発明に係る一態様は、（ａ）一対の前照灯の各々による光照射方向を可変に設定する車両用前照灯の制御装置であって、（ｂ）前記車両の曲進の際に、前記一対の前照灯の各々による光照射方向を当該曲進の方向に対応した方向へ設定する設定部と、（ｃ）前記設定部により設定される前記光照射方向にて前記一対の前照灯の各々による光照射が行われるようにする制御信号を当該一対の前照灯へ供給する信号供給部と、を含み、（ｄ）前記設定部は、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、車両用前照灯の制御装置である。
［３］本発明に係る一態様は、（ａ）一対の前照灯の各々による光照射方向を可変に設定する車両用前照灯の制御方法であって、（ｂ）車両の曲進の際に、前記一対の前照灯のうちの１つである第１前照灯の光照射方向を当該曲進の方向に対応した第１方向へ設定するとともに、前記一対の前照灯のうちの他の１つである第２前照灯の光照射方向を前記曲進の方向に対応した方向であって前記第１方向と異なる第２方向へ設定する、車両用前照灯の制御方法である。
［４］本発明に係る一態様は、上記した制御装置と、当該制御装置によって制御される一対の前照灯を含む、車両用前照灯システムである。
【０００７】
上記各構成によれば、車両の進行方向に応じて光照射方向を可変に設定する際における光照射方向をより適切に設定することができる。
【図面の簡単な説明】
【０００８】
【図１】図１は、一実施形態の車両用前照灯システムの構成を示す図である。
【図２】図２は、光源部のスイブル動作について説明するための模式図である。
【図３】図３は、照射方向設定部による光照射方向の設定方法および照射方向補正部による光照射方向の補正方法を説明するための図である。
【図４】図４は、車両用前照灯システムの制御装置における処理手順を示すフローチャートである。
【図５】図５は、車両用前照灯システムによる配光制御の様子を示す模式的な平面図である。
【発明を実施するための形態】
【０００９】
図１は、一実施形態の車両用前照灯システムの構成を示す図である。図示の車両用前照灯システムは、車両の前方に配置される一対の前照灯の各々による光照射方向を可変に設定して光照射を行うものであり、撮像装置１０、舵角センサ１３、制御装置１４、一対の前照灯１５Ｌ、１５Ｒを含んで構成されている。
【００１０】
本実施形態の車両用前照灯システムは、後述の図３に示すように、車両１００の曲進の際に、一対の前照灯１５Ｌ、１５Ｒのうちの１つである右側前照灯（第１前照灯）１５Ｒの光照射方向ａ１を曲進の方向に対応した第１方向へ設定するとともに、他の１つである左側前照灯（第２前照灯）１５Ｌの光照射方向ａ２を曲進の方向に対応した方向であって第１方向と異なる第２方向へ設定する、という特徴を有する。なお、以下の説明では、車両の通行帯が左側通行を原則とされている場合を想定する。
【００１１】
撮像装置１０は、カメラ１１と画像処理部１２を備えている。カメラ１１は、車両の所定位置（例えば車室内のフロントガラス上部）に設置されており、車両の前方を撮影する。画像処理部１２は、カメラ１１によって撮影された画像（映像）に対して所定の画像処理を行うことにより、自車両の前方に存在する対象体を検出する。ここでいう「対象体」とは、例えば、前方車両、歩行者、自転車搭乗者、障害物、路面上の白線等の路面標示などが該当する。このうち、障害物には路肩に設置されるガードレールが含まれる。本実施形態ではこのガードレールが「特定の対象物」に対応する。
【００１２】
舵角センサ１３は、車両のハンドル操作に基づく操舵角を検出する。ここで検出される操舵角は、ハンドル操作によるステアリング軸の操作角でもよいし、実際にタイヤに生じる切れ角の角度でもよい。この舵角センサ１３は、車両の進行方向を検出する検出部として用いられる。
【００１３】
なお、撮像装置１０や舵角センサ１３に相当するものが他の用途（例えば、ハンドルアシスト機能、自動ブレーキ機能等）に関する装置のために車両に備わっている場合には、その出力を用いることにより撮像装置１０等を省略することもできる。
【００１４】
制御装置１４は、例えばＣＰＵ、ＲＯＭ、ＲＡＭ等を有するコンピュータシステムを用い、このコンピュータシステムにおいて所定の動作プログラムを実行させることによって実現される。この制御装置１４は、機能ブロックとしての照射方向設定部２０、照射方向補正部２１および制御信号生成部２２を有する。
【００１５】
照射方向設定部２０は、舵角センサ１３の出力に基づいて、車両の曲進する際に、左側前照灯１５Ｌおよび右側前照灯１５Ｒの各々による光照射方向を車両の曲進の方向に対応した方向へ設定する。例えば、右カーブ路へ差し掛かった場合など、車両が右方向へ曲がりながら進んでいる場合には、照射方向設定部２０は、左側前照灯１５Ｌおよび右側前照灯１５Ｒの各々による光照射方向を右方向（車両前後方向を基準）へ向けるように設定する。同様に、左カーブ路へ差し掛かった場合など、車両が左方向へ曲がりながら進んでいる場合には、照射方向設定部２０は、左側前照灯１５Ｌおよび右側前照灯１５Ｒの各々による光照射方向を左方向（車両前後方向を基準）へ向けるように設定する。
【００１６】
照射方向補正部２１は、照射方向設定部２０により設定される光照射方向のうち、左側前照灯１５Ｌによる光照射方向を補正する。具体的には、照射方向補正部２１は、右側前照灯１５Ｒの光照射方向を第１方向とすると、左側前照灯１５Ｌの光照射方向を車両の曲進の方向に対応した方向であって第１方向と異なる方向である第２方向へ補正する。補正内容の詳細については後述する。
【００１７】
制御信号生成部２２は、照射方向設定部２０により設定された右側前照灯１５Ｒの光照射方向および照射方向設定部２０により設定されて照射方向補正部２１により補正された左側前照灯１５Ｌの光照射方向に対応して光照射が行われるようにするための制御信号を生成し、右側前照灯１５Ｒおよび左側前照灯１５Ｌのそれぞれに供給する。
【００１８】
なお、照射方向設定部２０と照射方向補正部２１が「設定部」に対応し、制御信号生成部２２が「信号供給部」に対応する。
【００１９】
左側前照灯１５Ｌ、右側前照灯１５Ｒは、それぞれ、光源部３０と駆動部３１を含んで構成されている。
【００２０】
光源部３０は、光を放出するものであり、例えば発光素子、ハロゲンランプ、高輝度放電ランプ（ＨＩＤランプ）などの発光源と、その発光源に対して駆動電力を与える駆動回路などを含んで構成されている。
【００２１】
駆動部３１は、光源部３０の姿勢を変化させるためのアクチュエータである。本実施形態では、駆動部３１は、少なくとも光源部３０を車両の左右方向においてスイブルさせる。これにより、光源部３０から光の光軸（主進行方向）を車両の左右方向において可変に設定することができる。
【００２２】
図２は、光源部のスイブル動作について説明するための模式図である。なお、図中のＸ方向は車両の左右方向に対応し、Ｙ方向は車両の前後方向に対応するものとする。図示のように、左側前照灯１５Ｌ（または右側前照灯１５Ｒ）の光源部３０は、駆動部３１によって駆動されることにより、左右に回動させることができる。それにより、光源部３０から放射される光の主進行方向である光軸ａを可変に設定することができる。図示のように、光軸ａは、車両の直進時にはＹ方向と平行に設定され、車両の右方向への曲進時にはＹ方向から時計回りに回転した方向に設定され、車両の左方向への曲進時にはＹ方向から反時計回りに回転した方向に設定される。
【００２３】
図３は、照射方向設定部による光照射方向の設定方法および照射方向補正部による光照射方向の補正方法を説明するための図である。図３では、自車両１００を俯瞰した様子が模式的な平面図によって示されている。図３（Ａ）は、車両が左方向への曲進する場合の光照射方向を示しており、図３（Ｂ）は、車両が右方向への曲進する場合の光照射方向を示している。
【００２４】
図示の車両１００の進行方向ｂは、舵角センサ１３の出力に基づいて判断できる。この進行方向ｂが左方向である場合、右側前照灯１５Ｒの光照射方向ａ１、左側前照灯１５Ｌの光照射方向ａ２は、いずれも進行方向ｂに対応する方向、すなわち自車両１００を基準として斜め左方向（Ｙ方向から左へ傾けた方向）に設定される。また、進行方向ｂが右方向である場合、右側前照灯１５Ｒの光照射方向ａ１、左側前照灯１５Ｌの光照射方向ａ２は、いずれも進行方向ｂに対応する方向、すなわち自車両１００を基準として斜め右方向（Ｙ方向から右へ傾けた方向）に設定される。
【００２５】
右側前照灯１５Ｒの光照射方向ａ１は、例えば図示のように車両の前後方向（Ｙ方向）を基準とした角度θＲによって定義される。角度θＲについては、例えば一定値にしてもよいし、操舵角が大きくなるほど角度も大きくなるようにして可変に設定してもよい。操舵角の大きさ（すなわち曲進の度合い）に応じて可変に設定する場合においては、操舵角と角度θＲとの関係を予め実験的ないし理論的に求め、それをデータテーブルとして図示しないメモリに記憶させておいたものを都度読み出して角度θＲを設定してもよいし、関係式を用いて都度演算によって求めて角度θＲを設定してもよい。さらに、図示しない車速センサによって検出される車速に応じて角度θＲを可変に設定してもよい。
【００２６】
左側前照灯１５Ｌの光照射方向ａ２は、例えば図示のように車両の前後方向（Ｙ方向）を基準とした角度θＬによって定義される。本実施形態では、この角度θＬは、上記した右側前照灯１５Ｒの角度θＲと同じ値に設定される。また、この角度θＬは、車両の左側に特定の対象物（本実施形態ではガードレール）が存在する場合には、照射方向補正部２１によって補正される。補正方法は種々考えられるが、その一例を以下に説明する。
【００２７】
本実施形態では、左方向への曲進時には、右側前照灯１５Ｒの角度θＲに対して、０以上１未満の範囲内で設定される補正値（第１補正値）を乗算することにより、左側前照灯１５Ｌの角度θＬが求められる。第１補正値は、例えば０．５に設定することができる。この場合、例えば右側前照灯１５Ｒの角度θＲが１０°であれば、左側前照灯１５Ｌの角度θＬは５°に設定される。すなわち、角度θＬは角度θＲの５０％の大きさに設定されることになる（図３（Ａ）参照）。これにより、右側前照灯１５Ｒの光照射方向（第１方向）ａ１と車両の前後方向とのなす角度である角度θＲよりも、左側前照灯１５Ｌの光照射方向（第２方向）ａ２と車両の前後方向とのなす角度である角度θＬのほうが小さくなる。
【００２８】
また、右方向への曲進時には、右側前照灯１５Ｒの角度θＲに対して、１以上の範囲で設定される補正値（第２補正値）を乗算することにより、左側前照灯１５Ｌの角度θＬが求められる。第２補正値は、例えば１．５に設定することができる。この場合、例えば右側前照灯１５Ｒの角度θＲが１０°であれば、左側前照灯１５Ｌの角度θＬは１５°に設定される。すなわち、角度θＬは角度θＲの１５０％の大きさに設定されることになる（図３（Ｂ）参照）。これにより、右側前照灯１５Ｒの光照射方向（第１方向）ａ１と車両の前後方向とのなす角度である角度θＲよりも、左側前照灯１５Ｌの光照射方向（第２方向）ａ２と車両の前後方向とのなす角度である角度θＬのほうが大きくなる。
【００２９】
図４は、車両用前照灯システムの制御装置における処理手順を示すフローチャートである。なお、処理に矛盾や不整合などを生じない限りにおいて、処理手順を入れ替えることも可能であり、他の処理を追加することも可能であり、そのような態様も排除されない。
【００３０】
制御装置１４の照射方向設定部２０は、舵角センサ１３の出力に基づいて車両の進行方向を検出し（ステップＳ１０）、当該進行方向および操舵角の大きさに基づいて、右側前照灯１５Ｒの光照射方向（角度θＲ）および左側前照灯１５Ｒの光照射方向（角度θＬ）を設定する（ステップＳ１１）。ここでは、角度θＲと角度θＬは同じ値に設定される。
【００３１】
次に、照射方向補正部２１は、撮像装置１０から画像処理結果を取得し（ステップＳ１２）、その画像処理結果に基づいて、自車両の左側に特定の対象物（本実施形態ではガードレール）が存在するか否かを判定する（ステップＳ１３）。
【００３２】
特定の対象物が存在する場合には（ステップＳ１３；ＹＥＳ）、照射方向補正部２１は、舵角センサ１３の出力に基づいて自車両が左側へ曲進中であるか否かを判定する（ステップＳ１４）。
【００３３】
自車両が左側へ曲進中である場合に（ステップＳ１４；ＹＥＳ）、照射方向補正部２１は、補正値として上記した第１補正値を設定する（ステップＳ１５）。他方、自車両が左側へ曲進中ではない場合、換言すれば右側へ曲進中である場合に（ステップＳ１４；ＮＯ）、照射方向補正部２１は、補正値として上記した第２補正値を設定する（ステップＳ１６）。
【００３４】
そして、照射方向補正部２１は、設定した補正値を用いて、左側前照灯１５Ｌの照射方向（角度θＬ）を補正する（ステップＳ１７）。
【００３５】
次に、制御信号生成部２２は、照射方向設定部２０により設定された右側前照灯１５Ｒの光照射方向（角度θＲ）ならびに照射方向補正部２１により補正された左側前照灯１５Ｌの光照射方向（角度θＬ）に対応して光照射が行われるようにするための制御信号を生成し、右側前照灯１５Ｒおよび左側前照灯１５Ｌのそれぞれに出力する（ステップＳ１８）。それにより、右側前照灯１５Ｒおよび左側前照灯１５Ｌのそれぞれの駆動部３１によって光源部３０のスイブル動作が制御され、設定された光照射方向へ光が照射される。
【００３６】
なお、特定の対象物が存在しない場合には（ステップＳ１３；ＮＯ）、制御信号生成部２２は、ステップＳ１１にて設定された右側前照灯１５Ｒの光照射方向（角度θＲ）および左側前照灯１５Ｒの光照射方向（角度θＬ）に対応して光照射が行われるようにするための制御信号を生成し、右側前照灯１５Ｒおよび左側前照灯１５Ｌのそれぞれに出力する（ステップＳ１８）。この場合、角度θＲと角度θＬは同じ値に設定されているので、右側前照灯１５Ｒの光照射方向と左側前照灯１５Ｒの光照射方向は同じとなる。
【００３７】
ステップＳ１８の処理後は、上記したステップＳ１０へ戻ってそれ以降の処理が実行される。
【００３８】
図５は、車両用前照灯システムによる配光制御の様子を示す模式的な平面図である。図５では、自車両１００を俯瞰した様子が示されており、図５（Ａ）が左方向への曲進時に対応し、図５（Ｂ）が右方向への曲進時に対応している。図５（Ａ）に示すように、曲進の方向が左方向であって自車両１００の左側にガードレール１１０が存在する場合には、右側前照灯１５Ｒによる照射光１０１Ｒの光照射方向よりも左側前照灯１５Ｌによる照射光１０１Ｌの光照射方向がより内側へ向くように各々の光照射方向が設定される。また、図５（Ｂ）に示すように、曲進の方向が右方向であって自車両１００の左側にガードレール１１０が存在する場合においても、右側前照灯１５Ｒによる照射光１０１Ｒの光照射方向よりも左側前照灯１５Ｌによる照射光１０１Ｌの光照射方向がより内側へ向くように各々の光照射方向が設定される。これらにより、自車両１００の向かう先の路面に対してより効果的に光照射を行うことができる。また、照射光１０１Ｌがガードレール１１０に照射されることによる反射光を抑制することができるので、運転者等へ与えるグレアを低減することができる。
【００３９】
以上のような実施形態によれば、車両の進行方向に応じて光照射方向を可変に設定する際における光照射方向をより適切に設定することができる。
【００４０】
なお、本発明は上記した実施形態の内容に限定されるものではなく、本発明の要旨の範囲内において種々に変形して実施をすることが可能である。例えば、上記した実施形態は車両の通行帯が左側通行を原則とされている場合を想定していたが、通行帯が右側通行を原則とされている場合についても同様にして配光制御を行うことができる。具体的には、上記した実施形態における左右の関係を入れ替えればよい。
【００４１】
また、上記した実施形態では、車両の左側（通行帯に応じた側）に特定の対象物が存在する場合に左右の前照灯による光照射方向を異なる方向にしていたが、特定の対象物の有無に関わらず同様の制御を行ってもよい。この場合、当該制御を行うか否かをボタン操作等によって運転者が選択できるようにしてもよい。
【００４２】
また、上記した実施形態では、操舵角（曲進の度合い）について特に閾値を設けずに操舵角に応じて光照射方向を設定していたが、閾値を設けておき、その閾値を超えた場合だけ光照射方向を可変に設定してもよい。それにより、車両の直進時のふらつき等による頻繁な光照射方向の変化を抑制することができる。
【００４３】
また、上記した実施形態では、車両の曲進の度合いを表すパラメータの一例として操舵角を用いていたが、これ以外のパラメータを用いてもよい。例えば、加速度センサ等を用いて検出されるヨーレート（車両鉛直軸まわりの回転角速度）に基づいて車両の曲進の度合いを求めることもできる。
【００４４】
また、上記した実施形態では画像認識処理によって車両の左側に存在する対象物を検出していたが、検出方法はこれに限定されない。例えば、ミリ波レーダ、ＬｉＤＡＲ（light  detection  and  ranging）などの手段によって対象物を検出してもよい。また、カーナビゲーションシステム等から得られる地図データに対象物（ガードレール等）の有無を示すデータが含まれている場合には、そのデータを用いて対象物を検出してもよい。その場合、ＧＰＳセンサ等によって検出される自車両の位置と地図データを照合して、対象物の有無を判断することができる。
【００４５】
また、特定の対象物と自車両との距離に応じて、上記した補正値を可変に設定してもよい。具体的には、第１補正値については距離が小さいほど小さく設定され、第２補正値については距離が小さいほど大きく設定される。特定の対象物と自車両との距離については、画像認識処理によって求めてもよいし、ミリ波レーダやＬｉＤＡＲによって求めてもよいし、距離センサを別途設けてその出力に基づいて求めてもよい。
【００４６】
また、上記した実施形態では、各前照灯の光源部を機械的にスイブルさせることによって光照射方向を可変に設定していたが、光照射方向の設定方法はこれに限定されない。例えば、一方向ないし二方向に配列された複数の発光素子（ＬＥＤ等）を有する光源部を用いて、発光させる対象とする発光素子を適宜変更することによって光照射方向を可変に設定することもできる。
【符号の説明】
【００４７】
１０：撮像装置、１１：カメラ、１２：画像処理部、１３：舵角センサ、１４：制御装置、１５Ｌ：左側前照灯、１５Ｒ：右側前照灯、２０：照射方向設定部、２１：照射方向補正部、２２：制御信号生成部、３０：光源部、３１：駆動部、１００：自車両、１０１Ｌ、１０１Ｒ：照射光、１１０：ガードレール
【図１】
2020011539.tif 000003
【図２】
2020011539.tif 000004
【図３】
2020011539.tif 000005
【図４】
2020011539.tif 000006
【図５】
2020011539.tif 000007